(57)【要約】【課題】効率よく情報の再生制限を実施する再生装置を提供する。【解決手段】記録ディスク１の種別をマイクロコンピュータ１３０のディスク判別手段にて判別し、ＤＶＤ以外では直ちに再生処理する。ＤＶＤであると判断した場合、ＣＰＰＭ技術で保護するためのコンテンツであるＭＫＢの情報の記録の有無をマイクロコンピュータ１３０の鍵束判断手段にて判断し、記録がなければ直ちに再生処理する。記録がある場合、マイクロコンピュータ１３０のウォブル信号判断手段にてウォブルの有無を判断し、ウォブルがない場合、直ちに再生処理する。ウォブルがある場合、マイクロコンピュータ１３０の制限手段にて適正に記録した情報かを判断し、違法コピーの場合には再生を禁止する。違法コピーを効率よく確実に再生制限できる。【選択図】  図３
2004288271.tif 000002
【特許請求の範囲】
【請求項１】
記録媒体に鍵束情報が記録されているか否かを判断する鍵束判断手段と、
この鍵束判断手段にて前記鍵束情報が記録されていると判断すると、前記記録媒体におけるウォブルの有無を判断するウォブル判断手段と、
このウォブル判断手段にて前記ウォブルが有すると判断すると、前記記録媒体の再生動作を制限する制限手段と、
を具備したことを特徴とする情報処理装置。
【請求項２】
請求項１に記載の情報処理装置において、
記録媒体の種別を判別するディスク判別手段を具備し、
前記鍵束判断手段は、前記ディスク判別手段が鍵束情報を記録可能な前記記録媒体であると判断した際にその記録媒体に対して前記鍵束情報が記録されているか否かの判断を実施する
ことを特徴とする情報処理装置。
【請求項３】
請求項１または請求項２に記載の情報処理装置において、
前記ウォブル判断手段は、前記鍵束判断手段にて前記鍵束情報が記録されていないと判断すると、前記ウォブルの有無の判断を実施しない
ことを特徴とする情報処理装置。
【請求項４】
請求項１ないし請求項３のいずれかに記載の情報処理装置において、
前記制限手段は、前記記録媒体の再生を実施させないことにより前記再生動作を制限する
ことを特徴とする情報処理装置。
【請求項５】
請求項１ないし請求項４のいずれかに記載の情報処理装置において、
前記鍵束情報は、ＣＰＰＭ（Ｃｏｎｔｅｎｔ  Ｐｒｏｔｅｃｔｉｏｎ  ｆｏｒ  Ｐｒｅｒｅｃｏｒｄｅｄ  Ｍｅｄｉａ）およびＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）で利用されるＭＫＢ（Ｍｅｄｉａ  Ｋｅｙ  Ｂｌｏｃｋ）である
ことを特徴とする情報処理装置。
【請求項６】
記録媒体に鍵束情報が記録されているか否かを判断し、
前記鍵束情報が記録されていると判断すると、前記記録媒体におけるウォブルの有無を判断し、
前記ウォブルが有すると判断すると、前記記録媒体の再生動作を制限する
ことを特徴とする情報処理方法。
【請求項７】
請求項６に記載の情報処理方法をコンピュータにて実行させる
ことを特徴とする情報処理プログラム。
【請求項８】
請求項７に記載の情報処理プログラムがコンピュータにて読取可能に記録された
ことを特徴とする情報処理プログラムを記録した記録媒体。
【請求項９】
記録媒体に記録された情報を読み取る読取手段と、
前記記録媒体におけるウォブルを検出する検出手段と、
前記読取手段にて読み取られた情報を再生可能に処理する処理手段と、
前記記録媒体に鍵束情報が記録されているか否かを判断する鍵束判断手段を備えた請求項１ないし請求項５のいずれかに記載の情報処理装置と、
を具備したことを特徴とする再生装置。
【請求項１０】
記録媒体に記録された情報を読み取る読取手段と、
前記記録媒体におけるウォブルを検出する検出手段と、
前記読取手段にて読み取られた情報を再生可能に処理する処理手段と、
前記記録媒体に前記鍵束情報が記録されているか否かを判断する鍵束判断手段と、
この鍵束判断手段にて前記鍵束情報が記録されていると判断すると、前記検出手段におけるウォブルの検出を実施させて前記ウォブルが検出されたか否かを判断するウォブル判断手段と、
このウォブル判断手段にて前記ウォブルが検出されたと判断すると、前記記録媒体の再生動作を制限する制限手段と、
を具備したことを特徴とする再生装置。
【発明の詳細な説明】
【０００１】
【発明の属する技術分野】
本発明は、記録媒体に記録された情報に基づいて記録媒体の再生動作を制限する情報処理装置、その方法、そのプログラム、そのプログラムを記録した記録媒体、および、再生装置に関する。
【０００２】
【従来技術】
従来、記録媒体として例えばＤＶＤに記録された情報の違法なコピーを防止する方法として、例えばＣＰＰＭ（Ｃｏｎｔｅｎｔ  Ｐｒｏｔｅｃｔｉｏｎ  ｆｏｒ  Ｐｒｅｒｅｃｏｒｄｅｄ  Ｍｅｄｉａ）およびＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）が知られている（非特許文献１参照）。
【０００３】
このＣＰＰＭは、例えばＤＶＤ−ＲＯＭ（Ｄｉｇｉｔａｌ  Ｖｅｒｓａｔｉｌｅ  Ｄｉｓｃ  −  Ｒｅａｄ  Ｏｎｌｙ  Ｍｅｍｏｒｙ）などの再生専用の記録媒体用に開発され、ＣＰＲＭは、例えばＤＶＤ−Ｒ（Ｄｉｇｉｔａｌ  Ｖｅｒｓａｔｉｌｅ  Ｄｉｓｃ−Ｒｅｃｏｒｄａｂｌｅ）やＤＶＤ−ＲＷ（Ｄｉｇｉｔａｌ  Ｖｅｒｓａｔｉｌｅ  Ｄｉｓｃ  −  ＲｅＷｒｉｔａｂｌｅ）などの記録可能な記録媒体用に開発されたものである。これらＣＰＰＭやＣＰＲＭは、再生装置が保有しているいわゆる機器鍵の情報と、記録媒体に記録されているＭＫＢ（Ｍｅｄｉａ  Ｋｅｙ  Ｂｌｏｃｋ）の情報とを用いて、暗号を解読するためのいわゆるメディア鍵の情報を生成する。このメディア鍵の情報を用いて、記録媒体に暗号化されて記録された情報を解読し、情報を再生させる方法が採られている。
【０００４】
【非特許文献１】
「これから増えるコピーコントロール「ＣＰＲＭ／ＣＰＰＭ」−その仕組みはどうなっている」
ｈｔｔｐ：／／ｗｗｗ．ｚｄｎｅｔ．ｃｏ．ｊｐ／ｎｅｗｓ／０２１２／１３／ｎｊ００＿ｃｐｒｍ．ｈｔｍｌ
２００２年１２月１３日掲載
【０００５】
【発明が解決しようとする課題】
ところで、近年ＤＶＤフォーラムにより、ＣＰＰＭおよびＣＰＲＭをより確実に実施するうえで、記録用の記録媒体特有のウォブル（Ｗｏｂｂｌｅ）を検出して記録媒体の種別を判定し、違法にコピーされた記録媒体の再生を制限するＤＶＤプレーヤの製造が義務づけられた。そこで、従来のＤＶＤプレーヤの構成の変更を最小限にしてウォブルを検出する構成を設けるため、記録媒体であるＣＤ（Ｃｏｍｐａｃｔ  Ｄｉｓｋ）またはＤＶＤかを判別するいわゆるディスク判別時にウォブルの検出も同時に実施する構成が考えられる。
【０００６】
しかしながら、ディスク判別とウォブルの検出とを同時に実施する構成とすると、ＣＰＰＭやＣＰＲＭで保護された情報を含まない通常の記録媒体を再生させる際にもウォブルの検出を実施することとなり、再生までに時間を要するという問題が一例として挙げられる。
【０００７】
本発明は、このような点に鑑みて、効率よく情報の再生制限を実施する情報処理装置、その方法、そのプログラム、そのプログラムを記録した記録媒体、および、再生装置を提供することを目的とする。
【０００８】
【課題を解決するための手段】
請求項１に記載の発明は、記録媒体に鍵束情報が記録されているか否かを判断する鍵束判断手段と、この鍵束判断手段にて前記鍵束情報が記録されていると判断すると、前記記録媒体におけるウォブルの有無を判断するウォブル判断手段と、このウォブル判断手段にて前記ウォブルが有ると判断すると、前記記録媒体の再生動作を制限する制限手段と、を具備したことを特徴とする情報処理装置である。
【０００９】
請求項６に記載の発明は、記録媒体に鍵束情報が記録されているか否かを判断し、前記鍵束情報が記録されていると判断すると、前記記録媒体におけるウォブル信号の有無を判断し、前記ウォブルが有ると判断すると、前記記録媒体の再生動作を制限することを特徴とする情報処理方法である。
【００１０】
請求項７に記載の発明は、請求項６に記載の情報処理方法をコンピュータにて実行させることを特徴とする情報処理プログラムである。
【００１１】
請求項８に記載の発明は、請求項７に記載の情報処理プログラムがコンピュータにて読取可能に記録されたことを特徴とする情報処理プログラムを記録した記録媒体である。
【００１２】
請求項９に記載の発明は、記録媒体に記録された情報を読み取る読取手段と、前記記録媒体におけるウォブルを検出する検出手段と、前記読取手段にて読み取られた情報を再生可能に処理する処理手段と、前記記録媒体に鍵束情報が記録されているか否かを判断する鍵束判断手段を備えた請求項１ないし請求項５のいずれかに記載の情報処理装置と、を具備したことを特徴とする再生装置である。
【００１３】
請求項１０に記載の発明は、記録媒体に記録された情報を読み取る読取手段と、前記記録媒体におけるウォブルを検出する検出手段と、前記読取手段にて読み取られた情報を再生可能に処理する処理手段と、前記記録媒体に前記鍵束情報が記録されているか否かを判断する鍵束判断手段と、この鍵束判断手段にて前記鍵束情報が記録されていると判断すると、前記検出手段により前記ウォブルが検出されたか否かを判断するウォブル判断手段と、このウォブル判断手段にて前記ウォブルが検出されたと判断すると、前記記録媒体に記録された情報の再生動作を制限する制限手段と、を具備したことを特徴とする再生装置である。
【００１４】
【発明の実施の形態】
以下に、本発明の情報処理装置に係る一実施の形態について図面を参照して説明する。なお、この一実施の形態では、例えばコピープロテクト処理、具体的にはＣＰＰＭ（Ｃｏｎｔｅｎｔ  Ｐｒｏｔｅｃｔｉｏｎ  ｆｏｒ  Ｐｒｅｒｅｃｏｒｄｅｄ  Ｍｅｄｉａ）およびＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）で保護されたコンテンツであるＭＫＢ（Ｍｅｄｉａ  Ｋｅｙ  Ｂｌｏｃｋ）が記録された記録媒体としての記録ディスクの再生処理を適宜制限する構成について説明する。そして、対象となる記録媒体は、記録ディスクに限ることなく、様々な記録メディアが適用可能である。
【００１５】
〔記録ディスクの構造〕
まず、本発明に係る一実施の形態の再生装置にて再生処理される記録媒体としての記録ディスクであるＤＶＤ（Ｄｉｇｉｔａｌ  Ｖｅｒｓａｔｉｌｅ  Ｄｉｓｃ）の構造について、図１および図２を参照して説明する。図１は、記録媒体としてのＤＶＤのデータ構造を簡略的に示した模式図である。図２は、コピープロテクト処理されたＤＶＤのデータのファイル形式を簡略的に示した模式図である。
【００１６】
記録ディスク１は、略中央に図示しない略円形のセンタホールを有した円板状に形成され、片面が情報記録面となっている。この情報記録面には、図１に示すように、その最内周側に始端であることを示す例えばいわゆる０コードが記録された記録領域であるリードインエリア１Ａが設けられている。また、情報記録面には、リードインエリア１Ａの外周側に、リファレンスコードが記録された記録領域であるリファレンスコードゾーン１Ｂが設けられている。さらに、リファレンスコードゾーン１Ｂの外周側には、いわゆる０コードが記録された記録領域である「Ａｌｌ  ００ｈ」の領域１Ｃを介して、コントロールデータゾーン１Ｄが設けられている。このコントロールデータゾーン１Ｄには、例えばＤＶＤ−ＲＯＭ、ＤＶＤ−Ｒ（Ｄｉｇｉｔａｌ  Ｖｅｒｓａｔｉｌｅ  Ｄｉｓｃ−Ｒｅｃｏｒｄａｂｌｅ）、ＤＶＤ−ＲＷ（Ｄｉｇｉｔａｌ  Ｖｅｒｓａｔｉｌｅ  Ｄｉｓｃ  −  ＲｅＷｒｉｔａｂｌｅ）などの種別や、トラックパス・レイヤタイプに関する情報がある。そして、このコントロールデータゾーン１Ｄの外周側には、「Ａｌｌ  ００ｈ」の領域１Ｃを介して、音楽データや画像データ、プログラムデータなどの各種情報が記録された記録領域であるデータエリア１Ｅが設けられている。さらに、このデータエリア１Ｅの外周側には、終端であることを示すいわゆる０コードが記録された記録領域であるリードアウトエリア１Ｆが設けられている。
【００１７】
そして、記録ディスク１のデータエリアに記録される情報としては、例えば図２に示すように複数のディレクトリ２Ａが設けられ、これらディレクトリ２Ａに適宜情報に関するデータ２Ｂがまとめて記録される。具体的には、例えば、画像データに関するいわゆるＶＩＤＥＯ系のファイル２Ｂ１をまとめて記録する領域の「ＶＩＤＥＯ＿ＴＳ」や、音声データに関するいわゆるＡＵＤＩＯ系のファイル２Ｂ２をまとめて記録する領域の「ＡＵＤＩＯ＿ＴＳ」などのディレクトリ２Ａが設けられたファイル構造となっている。そして、記録ディスク１は、ＶＩＤＥＯ系のファイル２Ｂ１やＡＵＤＩＯ系のファイル２Ｂ２をＣＰＰＭ（Ｃｏｎｔｅｎｔ  Ｐｒｏｔｅｃｔｉｏｎ  ｆｏｒ  Ｐｒｅｒｅｃｏｒｄｅｄ  Ｍｅｄｉａ）およびＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）にて保護して違法コピーを防止する処理として、「ＡＵＤＩＯ＿ＴＳ」のディレクトリ２Ａ内に鍵束情報であるＭＫＢ（Ｍｅｄｉａ  Ｋｅｙ  Ｂｌｏｃｋ）、例えば図２に示すようなファイル名が「ＤＶＤＡＵＤＩＯ．ＭＫＢ」であるＭＫＢの情報２Ｂ３が記録される。
【００１８】
〔再生装置の構成〕
次に、記録ディスクであるＣＤ（Ｃｏｍｐａｃｔ  Ｄｉｓｃ）およびＤＶＤの双方の規格を再生可能な再生装置の構成について図面を参照して説明する。図３は、再生装置の概略構成を示すブロック図である。
【００１９】
図３において、１００は再生装置で、この再生装置１００は、記録ディスク１に記録された音楽情報や画像情報などの各種情報であるコンテンツを再生処理する。この再生装置１００は、読取手段１１０と、図示しない入力手段と、処理手段１２０と、情報処理装置としてのマイクロコンピュータ１３０と、を備えている。
【００２０】
読取手段１１０は、記録ディスク１の情報記録面に記録された各種情報を読み取る。そして、読取手段１１０は、光ピックアップ１１１と、ディスクモータ１１２と、ドライバ１１３と、ＲＦ（Ｒａｄｉｏ  Ｆｒｅｑｕｅｎｃｙ）アンプ１１４と、サーボ信号処理手段１１５と、を備えている。
【００２１】
光ピックアップ１１１は、記録ディスク１の情報記録面に照射して反射する光を受光し、各種情報を電気信号として取得する。
【００２２】
ディスクモータ１１２は、再生装置１００の所定位置に装着された記録ディスク１を線速度または角速度を一定に回転駆動させる。すなわち、ディスクモータ１１２には、記録ディスク１のセンターホールに係合し記録ディスク１を再生装置１００の所定の位置に載置させて回転可能とする図示しないターンテーブルが接続され、図示しないクランパとにより記録ディスク１を挾持し、回転駆動によりターンテーブルを回転させて記録ディスク１を線速度または角速度一定で回転させる。
【００２３】
ドライバ１１３は、ディスクモータ１１２の駆動を制御して記録ディスク１を線速度または角速度が一定の状態に回転させる。また、ドライバ１１３は、光ピックアップ１１１を記録ディスク１の情報記録面に平行でかつ径方向に適宜移動させる。さらに、ドライバ１１３は、光ピックアップ１１１に設けられた図示しないフォーカスアクチュエータおよびトラッキングアクチュエータを制御し、反射される光の情報記録面からの焦点距離および情報記録面上の焦点位置を調整する。
【００２４】
ＲＦアンプ１１４は、光ピックアップ１１１から出力される電気信号を増幅し所定のイコライザ処理を施してＲＦ信号を生成する。また、ＲＦアンプ１１４は、光ピックアップ１１１から出力される電気信号に基づきフォーカスエラー信号およびトラッキングエラー信号を生成する。そして、ＲＦアンプ１１４は、サーボ信号処理手段１１５に接続され、生成したＲＦ信号、フォーカスエラー信号およびトラッキングエラー信号をサーボ信号処理手段１１５に出力する。
【００２５】
サーボ信号処理手段１１５は、マイクロコンピュータ１３０にて制御され、ＲＦアンプ１１４から取得したフォーカスエラー信号およびトラッキングエラー信号に基づいてドライバ１１３を適宜駆動させる制御をする。具体的には、ディスクモータ１１２の回転駆動状態を制御させたり、光ピックアップ１１１を記録ディスク１の情報記録面に平行でかつ径方向に移動させる状態を制御させたり、焦点距離および焦点位置を調整させるなどの制御をドライバ１１３で実施させる。また、サーボ信号処理手段１１５は、ＲＦアンプ１１４を介して光ピックアップ１１１で読み取った記録ディスク１に記録された情報を処理手段に出力する。
【００２６】
入力手段は、例えば切替スイッチなどが用いられる。この入力手段は、利用者の入力操作により、記録ディスク１に記録された各種情報を取得する方法を切り替える切替要求などをマイクロコンピュータ１３０に出力して設定入力する。なお、入力手段としては、例えばリモコンなど、切替要求情報を無線媒体を介して再生装置１００に出力する構成などとしてもよい。
【００２７】
処理手段１２０は、マイクロコンピュータ１３０にて制御され、読取手段１１０にて記録ディスク１から読み取った情報をスピーカや表示装置などから出力すなわち再生可能に処理する。この処理手段１２０は、音声／映像信号処理手段１２１と、デジタル−アナログ変換器（Ｄｉｇｉｔａｌ−ｔｏ−Ａｎａｌｏｇ  Ｃｏｎｖｅｒｔｅｒ：ＤＡＣ）１２２と、を備えている。
【００２８】
音声／映像信号処理手段１２１は、マイクロコンピュータ１３０にて制御され、サーボ信号処理手段１１５から取得した記録ディスク１の情報をデジタルストリームデータとして変換する。この変換したデジタルストリームデータは、メモリ１２３に適宜記憶される。また、音声／映像信号処理手段１２１は、変換したデジタルストリームデータおよびメモリ１２３に記憶されあらかじめ変換されたデジタルストリームをＤＡＣ１２２に出力する。
【００２９】
ＤＡＣ１２２は、マイクロコンピュータ１３０にて制御され、音声／映像信号処理手段１２１から取得するデジタルストリームデータを、音声信号および映像信号のアナログ信号に変換する。この変換された音声信号は、スピーカにて音声として再生され、映像信号は表示装置にて画面表示として再生される。
【００３０】
マイクロコンピュータ１３０は、読取手段１１０にて記録ディスク１から情報を読み取らせ、読み取った情報を処理手段１２０にて適宜処理させる制御をする。このマイクロコンピュータ１３０は、再生装置１００の全体の動作制御をするＯＳ（Ｏｐｅｒａｔｉｎｇ  Ｓｙｓｔｅｍ）上に展開される各種プログラムとしての図示しない、ディスク判別手段と、検出手段と、鍵束判断手段と、ウォブル判断手段と、制限手段と、を備えている。
【００３１】
ディスク判別手段は、サーボ信号処理手段１１５にてドライブ１１３を制御し、光ピックアップ１１１にて読み取る光の状態により、記録ディスク１がＭＫＢの情報２Ｂ３を記録可能な記録形式のもの、すなわちＤＶＤか否かを判断する。例えば、読取手段１１０の光ピックアップ１１１の図示しないフォーカスアクチュエータおよびトラッキングアクチュエータを制御し、フォーカスオープンやトラッキングオープンなどの状態で記録ディスク１から反射される光を読み取って、その反射率から記録ディスク１の記録メディア、本実施形態ではＣＤかＤＶＤか判別する。なお、ＤＶＤかＣＤかの判別は、この方法に限らず、既存のいずれの方法をも利用できる。そして、ディスク判別手段は、記録ディスク１がＤＶＤであると判断した場合、所定の信号を出力する。
【００３２】
検出手段は、読取手段１１０の光ピックアップ１１１にて読み取る光の状態により、ウォブルを検出する。例えば、記録可能な形式の記録ディスク１の情報記録面上に形成されたグルーブトラックには、ウォブルが形成されている。ウォブルは、記録再生情報を記録ディスク１に記録するとき、記録ディスク１の回転を制御するためのものである。これに対し、読み取り専用の形式の記録ディスク１の情報記録面上にはグルーブトラックは存在せず、もちろんウォブルも存在しない。検出手段はこのような記録ディスク１の物理的な構造の違いを光ピックアップにて読み取る光の状態から検出することにより、ウォブルを検出する。そして、所定の信号を出力する。
【００３３】
鍵束判断手段は、ディスク判別手段から上述した所定の信号が出力されたことを認識すると、読取手段１１０にて記録ディスク１から読み取った情報のうち、ＭＫＢの情報２Ｂ３があるか否かを判断する。そして、所定の信号を出力する。
【００３４】
ウォブル判断手段は、鍵束判断手段から所定の信号に応じてＭＫＢの情報２Ｂ３があると認識すると、検出手段におけるウォブルの検出を実施させ、そして、検出手段から出力される信号に応じて所定の信号を出力する。
【００３５】
制限手段は、ウォブル判断手段から所定の信号に応じて、読取手段１１０あるいは処理手段１２０の動作を制御する。ウォブル判断手段からの所定の信号がウォブルが有ると判断した旨の信号であった場合には、記録ディスク１に記録された情報、すなわちＶＩＤＥＯ系のファイル２Ｂ１やＡＵＤＩＯ系のファイル２Ｂ２を再生させるための処理を規制する。具体的には、読取手段１１０による読み取りを規制したり、処理手段１２０による処理を規制する。また、規制としては、記録ディスク１の再生を禁止する制御の他、ＭＫＢの情報２Ｂ３に基づいてコピー可能回数以内で適正に記録された情報であると判断した場合に再生するための処理をし、コピー可能回数を超え記録が違法にコピーされたものであると判断した場合には再生を禁止する制御などをする。
【００３６】
〔再生装置の再生処理動作〕
次に、上記再生装置１００において記録ディスク１を適宜再生する動作について、図面を参照して説明する。図４は、記録媒体１を再生する動作を示すフローチャートである。
【００３７】
まず、記録ディスク１が再生装置１００に装着されると、マイクロコンピュータ１３０は、サーボ信号処理手段１１５を制御し、ドライバ１１３にて光ピックアップ１１１の記録ディスク１で反射させる光である読取光を記録ディスク１の最内周に位置させる制御をさせる。さらに、記録ディスク１を線速度一定あるいは角速度一定に回転駆動すべくディスクモータ１１２を起動させる。
【００３８】
そして、マイクロコンピュータ１３０は、図４に示すように、記録ディスク１がＣＤかＤＶＤかを判別するためのセットアップ動作を行う（ステップＳ１）。
そして、ディスク判別処理を実施する（ステップＳ２）。具体的には、サーボ信号処理手段１１５を制御して、読取手段１１０の光ピックアップ１１１の図示しないフォーカスアクチュエータおよびトラッキングアクチュエータを制御し、例えばフォーカスオープンやトラッキングオープンなどの状態で記録ディスク１から反射される光を読み取って、ＣＤかＤＶＤかの判別を実施する。
【００３９】
そして、ステップ２において、ディスク判別手段により記録ディスク１がＤＶＤではないと判断した場合、ＣＤであると判断し、マイクロコンピュータ１３０は記録ディスク１をＣＤとしてセットアップする（ステップＳ３）。例えば、読取手段１１０にてＣＤとして記録ディスク１から情報を読み取り、処理手段１２０で読み取った情報を適宜処理し、スピーカや表示装置などで再生させる処理を実施する。なお、セットアップとしては、再生処理に限らず、再生処理に必要な例えばＴＯＣ（Ｔａｂｌｅ  Ｏｆ  Ｃｏｎｔｅｎｔｓ）情報を読取手段１１０で読み取り、入力手段から利用者の入力操作により再生するための処理を実施する待機状態とするなどしてもよい。
【００４０】
また、ステップ２において、ディスク判別手段により記録ディスク１がＤＶＤであると判断した場合、ディスク判別手段が所定の信号を出力する。そして、この信号の出力により、マイクロコンピュータ１３０は記録ディスク１をＤＶＤとしてセットアップする（ステップＳ４）。具体的には、読取手段１１０にて情報を読み取る際に、ＤＶＤの記録ディスク１から情報を読み取らせるためのフォーカシング処理やトラッキング処理をさせるなどの処理を実施させるように設定する。
【００４１】
このステップＳ４の後、マイクロコンピュータ１３０は、記録ディスク１の種別の確定およびコピープロテクト処理が施された記録ディスク１か否かを判断するための情報の取得を実施する（ステップＳ５）。すなわち、サーボ信号処理手段１１５を制御して光ピックアップ１１１の図示しないフォーカスアクチュエータおよびトラッキングアクチュエータを制御し、ＤＶＤの記録ディスク１としてフォーカスクローズおよびトラッキングクローズさせ、記録ディスク１のコントロールデータゾーン１Ｄに記録される記録ディスク１の種別に関する情報を読み取らせる。そして、マイクロコンピュータ１３０は、記録ディスク１の種別に関する情報に基づいて、記録ディスク１の種別を確認する。
【００４２】
さらに、マイクロコンピュータ１３０は、ステップＳ２でディスク判別手段がＤＶＤであると判断して出力される所定の信号の認識により、鍵束判断手段により読取手段１１０で記録ディスク１がコピープロテクト処理、例えばＣＰＰＭ技術で保護されたコンテンツであるＭＫＢの情報２Ｂ３の検索を実施させる。そして、鍵束判断手段は、ＭＫＢの情報２Ｂ３が記録されているか否かを判断する（ステップＳ６）。
【００４３】
このステップＳ６において、鍵束判断手段が読取手段１１０にて記録ディスク１からＭＫＢの情報２Ｂ３を検出できずＭＫＢの情報２Ｂ３が記録されていないと判断すると、鍵束判断手段は記録ディスク１に記録された情報がコピープロテクト処理されていない、すなわちＣＰＰＭ技術で保護されていない通常の情報であると判断し、ウォブル判断手段により検出手段における記録ディスク１のウォブルの検出を実施させることなく、記録ディスク１の情報を再生するための処理をする（ステップＳ７）。すなわち、読取手段１１０にてＤＶＤとして記録ディスク１から情報を読み取り、処理手段１２０で読み取った情報を適宜処理し、スピーカや表示装置などで再生させる処理を実施する。
【００４４】
また、ステップＳ６において、鍵束判断手段によりＭＫＢの情報２Ｂ３が記録されていると判断すると、鍵束判断手段が所定の信号を出力する。そして、この信号の出力により、マイクロコンピュータ１３０は記録ディスク１の種別であるブックタイプを判断するための処理を実施する（ステップＳ８）。すなわち、マイクロコンピュータ１３０は、ウォブル判断手段により検出手段における記録ディスク１のウォブルの検出を実施させる。
【００４５】
そして、マイクロコンピュータ１３０のウォブル判断手段によりウォブルが検出できず記録ディスク１のブックタイプが読み取り専用の形式であるか、ウォブルが検出され記録ディスク１のブックタイプが記録可能の形式かを判断する（ステップＳ９）。そして、マイクロコンピュータ１３０は、ステップＳ６における判断結果と、ステップＳ９における判断結果とに基づいて、制限手段により再生を制限する必要があるか否かを判断する（ステップＳ１０）。すなわち、制限手段は、ブックタイプがウォブルのない読み取り専用の形式であれば違法コピーされた記録ディスク１ではないと判断し、ブックタイプがウォブルのある記録可能の形式であれば違法コピーされた可能性があると判断する。
【００４６】
このステップＳ１０において、ブックタイプが読み取り専用の形式で違法コピーされた記録ディスク１ではなく再生制限する必要がないと判断した場合、再生を開始する処理をする（ステップＳ１１）。すなわち、マイクロコンピュータ１３０は、読取手段１１０にてＤＶＤとして記録ディスク１から情報であるＶＩＤＥＯ系のファイル２Ｂ１やＡＵＤＩＯ系のファイル２Ｂ２を読み取り、処理手段１２０で読み取った情報を適宜処理し、スピーカや表示装置などで再生させる処理を実施する。
【００４７】
また、ステップＳ１０において、ブックタイプが記録可能の形式で違法コピーされた可能性がある記録ディスク１で再生制限する必要があると判断した場合、再生を制限する処理をする（ステップＳ１２）。すなわち、マイクロコンピュータ１３０の制限手段は、例えばＭＫＢの情報２Ｂ３に基づいて、記録ディスク１に記録された情報がコピー可能回数以内で適正に記録されたものかコピー可能回数を超えて違法にコピーされたものかを判断する。そして、適正に記録されたものであると判断した場合には、再生を開始する処理をする。また、違法にコピーされたものであると判断した場合には、再生を禁止する処理をする。すなわち、読取手段１１０にて再生されるＶＩＤＥＯ系のファイル２Ｂ１やＡＵＤＩＯ系のファイル２Ｂ２などの情報の読み取りを禁止したり、処理手段１２０により情報を再生するための処理を禁止したりするなどの処理をし、再生を禁止させる。
【００４８】
このように、記録ディスク１の種別を判断した後に、記録ディスク１にコピープロテクト処理、例えばＣＰＰＭ技術で保護されたコンテンツであるＭＫＢの情報２Ｂ３が記録されているか否かを判断し、ＭＫＢの情報２Ｂ３が記録されていると判断した場合にウォブルの検出を行って再生制限が必要か否かを判断し、違法にコピーされた情報の再生を適切に禁止している。すなわち、記録ディスク１の種別であるブックタイプを判断した際に、例えばウォブルを有する記録可能の形式であるにもかかわらずに読み取り専用の形式であるとの虚偽の情報が記録されていても、記録ディスク１のウォブルの有無により、ブックタイプを確認するので、確実に違法コピーされた情報の再生を禁止できる。そして、違法コピーの可能性がない場合、すなわち種別が異なるＣＤやＭＫＢの情報２Ｂ３が記録されていないものでは、ウォブルの検出を実施せずに再生を開始させるので、例えば全ての記録ディスク１のウォブル信号の有無を検出する場合に比して直ちに再生が開始され、良好な再生処理が得られ、利用者に不信感などを与えるなどを防止できる。
【００４９】
上述したように、上記実施の形態では、読取手段１１０にて読み取った記録ディスク１に記録された情報のうち例えばＣＰＰＭ技術で保護されたコンテンツであるＭＫＢの情報２Ｂ３が記録されているか否かをマイクロコンピュータ１３０の鍵束判断手段にて判断する。さらに、ＭＫＢの情報２Ｂ３が記録されていると判断した場合、マイクロコンピュータ１３０のウォブル判断手段にて記録ディスク１におけるウォブルの有無を判断する。そして、ウォブルが有るとされた場合、マイクロコンピュータ１３０の制限手段にて、ブックタイプが記録可能な形式で再生制限が必要か否か、すなわち適切にコピーされたものか否かを判断して、違法にコピーされたものであると判断すると、記録ディスク１の再生を禁止する。
【００５０】
このため、記録ディスク１の種別であるブックタイプを判断した際に、例えばウォブルを有する記録可能の形式であるにもかかわらずに読み取り専用の形式であるとの虚偽の情報が記録されていても、記録ディスク１のウォブルの有無により、ブックタイプを確認して、確実に違法コピーされた情報の再生を禁止できる。さらに、ＭＫＢの情報２Ｂ３があることを認識した後にウォブルを検出させるので、違法コピーの可能性がない場合、すなわちＭＫＢの情報２Ｂ３がないものなどではウォブルの検出の有無を実施することなく直ちに再生が開始され、円滑に再生処理が得られ、利用者に不信感などを与えるなどの不都合を生じることなく良好に情報の再生ができる。
【００５１】
そして、記録ディスク１からＭＫＢの情報２Ｂ３の情報などを取得するためにマイクロコンピュータ１３０のディスク判別手段にて記録ディスク１が例えばＣＰＰＭ技術で保護されたコンテンツであるＭＫＢの情報２Ｂ３を記録可能な記録形式であるＤＶＤか否かを判断した後にＭＫＢの情報２Ｂ３の記録の有無を判断するので、ＤＶＤでないＭＫＢの情報２Ｂ３が記録されないＣＤではウォブルのの有無を判断することなく直ちに再生処理を実施させることで、円滑に再生処理が得られ、良好に情報の再生ができる。
【００５２】
また、制限手段にて、ＭＫＢの情報２Ｂ３が記録されウォブルが検出された際に、再生制限が必要か否かを判断、すなわち再生を禁止するのみに限らず、適切なコピーか否かの判断もし、適切なコピーであると判断した場合には再生させ、違法なコピーと判断した場合に再生を禁止する。このため、確実で適切に違法にコピーされた情報の再生の禁止処理ができる。
【００５３】
そして、違法コピーか否かの判断としてＭＫＢの情報２Ｂ３の記録の有無を判断する。このため、違法コピーか否かを判断することが容易で迅速にできる。
【００５４】
また、上述したマイクロコンピュータ１３０にて構成されるディスク判別手段、鍵束判断手段、ウォブル判断手段および制限手段をプログラムとして構成させることで、例えばパーソナルコンピュータなどを再生装置１００として利用するような場合などにも利用することができ、利用の拡大を容易に図ることができる。さらには、ネットワークなどを介してプログラムを送受信させることで、利用のさらなる拡大を図れ、違法コピーの適切な再生制限の処理をコンピュータに実施させることが容易にできる。また、記録媒体としてコンピュータにてプログラムを読取可能に記録することで、上述した違法コピーの適切な再生制限の処理をコンピュータに実施させることが容易にでき、利用の拡大を容易に図ることができるとともに、プログラムの取扱が容易にできる。なお、コンピュータとしては、例えば１台のパーソナルコンピュータとしたり、複数のコンピュータをネットワーク状に組み合わせた構成としたり、マイクロコンピュータ１３０などのＩＣやＣＰＵなどである素子、複数の電気部品が搭載された回路基板なども含む意味として定義される。
【００５５】
〔実施の形態の変形〕
なお、本発明は、上述した各実施の形態に限定されるものではなく、本発明の目的を達成できる範囲で以下に示される変形をも含むものである。
【００５６】
すなわち、再生装置１００で例示して説明したが、再生装置１００に限らず、例えば記録媒体に記録された情報を読み取ってコンピュータに処理させるためのドライブ装置などに利用するなどしてもよい。
【００５７】
そして、鍵束情報としてＣＰＰＭ技術で保護されたコンテンツであるＭＫＢの情報２Ｂ３で説明したが、記録媒体の情報を保護するために利用されるいずれの鍵情報などをも対象とすることができる。
【００５８】
また、ディスク判別を実施しない構成としてもよい。そして、ディスク判別としては、ＣＤかＤＶＤかの種別の判断だけでなく他の記録媒体であるＭＤ（Ｍｉｎｉ  Ｄｉｓｃ）やＭＯ（Ｍａｇｎｅｔｏ−Ｏｐｔｉｃａｌ  ｄｉｓｋ）、ＦＤ（Ｆｌｅｘｉｂｌｅ  Ｄｉｓｃ）などの他、ディスク形状でないメディアなどの種別の判断をも含むものである。
【００５９】
さらに、再生を制限したが、単に再生させる動作を実施させない、すなわち再生処理を禁止（停止）する処理だけでもよい。
【００６０】
その他、本発明の実施の際の具体的な構造および手順は、本発明の目的を達成できる範囲で他の構造などに適宜変更できる。
【図面の簡単な説明】
【図１】本発明の一実施の形態に係る記録ディスクのデータ構造を簡略的に示した模式図である。
【図２】前記一実施の形態におけるコピープロテクト処理されたＤＶＤのデータのファイル形式を簡略的に示した模式図である。
【図３】前記一実施の形態における再生装置の概略構成を示すブロック図である。
【図４】前記一実施の形態における再生装置による情報を再生する動作を示すフローチャートである。
【符号の説明】
１      記録ディスク
２Ｂ    データ
２Ｂ１  ＶＩＤＥＯ系のファイル
２Ｂ２  ＡＵＤＩＯ系のファイル
２Ｂ３  ＭＫＢの情報
１００      再生装置
１１０      読取手段
１２０    処理手段
１３０    マイクロコンピュータ
【図１】
2004288271.tif 000003
【図２】
2004288271.tif 000004
【図３】
2004288271.tif 000005
【図４】
2004288271.tif 000006